(57)【要約】【課  題】前後側のいずれか一方又は相方を開口した檻本体と、該檻本体に昇降可能に支持され、開口を開閉する閉じ蓋と、該閉じ蓋に連結され、該閉じ蓋を開口上に持ち上げて吊持する第１のロープ等に係脱し、該ロープ等を解放可能に支持する係止手段と、該係止手段に連結されて、檻本体の内部下部に張設される第２のロープ等よりなり、第２のロープ等に当たって張力が増加すると、係止手段に係止される第１のロープ等が係止手段より解放され、これにより閉じ蓋が自重により落下して檻本体の開口を閉じる害獣捕獲用の檻において、檻のセッティング作業が一人でも行えるようにする。【解決手段】閉じ蓋９を持ち上げた状態でガイドレール１３にピンを差し込んで閉じ蓋９を支持する。ガイドレール１３にはベルクランク状のストッパーが軸支され、閉じ蓋９が閉じると、閉じ蓋９の持ち上げを阻止する。【選択図】  図５
2004229559.tif 000002
【特許請求の範囲】
【請求項１】
前後側のいずれか一方又は相方を開口した檻本体と、該檻本体に昇降可能に支持され、開口を開閉する閉じ蓋と、該閉じ蓋に連結され、該閉じ蓋を開口上に持ち上げて吊持する第１のロープ等に係脱し、該ロープ等を解放可能に支持する係止手段と、該係止手段に連結されて、檻本体の内部下部に張設される第２のロープ等よりなり、第２のロープ等に当たって張力が増加すると、係止手段に係止される第１のロープ等が係止手段より解放され、これにより閉じ蓋が自重により落下して檻本体の開口を閉じる害獣捕獲用の檻において、上記檻本体に抜き差し可能に挿入され、閉じ蓋を開口上に持ち上げた状態で支持するピンを有することを特徴とする害獣捕獲用の檻。
【請求項２】
前後側のいずれか一方又は相方を開口した檻本体と、該檻本体に昇降可能に支持され、開口を開閉する閉じ蓋と、該閉じ蓋に連結され、該閉じ蓋を開口上に持ち上げて吊持する第１のロープ等に係脱し、該ロープ等を解放可能に支持する係止手段と、該係止手段に連結されて、檻本体の内部下部に張設される第２のロープ等よりなり、第２のロープ等に当たって張力が増加すると、係止手段に係止される第１のロープ等が係止手段より解放され、これにより閉じ蓋が自重により落下して檻本体の開口を閉じる害獣捕獲用の檻において、手動操作により上記係止手段の第１のロープ等の係止を維持拘束し、或いはその拘束を解除するロック手段を設けたことを特徴とする害獣捕獲用の檻。
【請求項３】
前後側のいずれか一方又は相方を開口した檻本体と、該檻本体に昇降可能に支持され、開口を開閉する閉じ蓋と、該閉じ蓋に連結され、該閉じ蓋を開口上に持ち上げて吊持する第１のロープ等に係脱し、該ロープ等を解放可能に支持する係止手段と、該係止手段に連結されて、檻本体の内部下部に張設される第２のロープ等よりなり、第２のロープ等に当たって張力が増加すると、係止手段に係止される第１のロープ等が係止手段より解放され、これにより閉じ蓋が自重により落下して檻本体の開口を閉じる害獣捕獲用の檻において、上記係止手段が檻を構成する縦向き又は横向きの鋼棒を内外から挟み込む取付部及び当て板と、該取付部及び当て板を連結する止め金具よりなる檻への取付手段を有することを特徴とする害獣捕獲用の檻。
【請求項４】
前後側のいずれか一方又は相方を開口した檻本体と、該檻本体に昇降可能に支持され、開口を開閉する閉じ蓋と、該閉じ蓋に連結され、該閉じ蓋を開口上に持ち上げて吊持する第１のロープ等に係脱し、該ロープ等を解放可能に支持する係止手段と、該係止手段に連結されて、檻本体の内部下部に張設される第２のロープ等よりなり、第２のロープ等に当たって張力が増加すると、係止手段に係止される第１のロープ等が係止手段より解放され、これにより閉じ蓋が自重により落下して檻本体の開口を閉じる害獣捕獲用の檻において、檻本体に閉じた閉じ蓋の持上げを阻止する位置と、閉じ蓋の持ち上げを可能にする位置とに切換可能に取付けられ、常には閉じ蓋の持ち上げを阻止する位置にあって、閉じ蓋が落下したとき、該閉じ蓋に当たって閉じ蓋の持ち上げを可能にする位置に後退し、閉じ蓋が閉じたとき、閉じ蓋の持ち上げを阻止する位置に復動するストッパーを有することを特徴とする害獣捕獲用の檻。
【発明の詳細な説明】
【０００１】
【発明が属する技術分野】
本発明は、猪のような山野に棲息する害獣を捕獲するために用いる檻に関する。
【０００２】
【従来技術】
近年、害獣、とりわけ猪が人里に出没して田畑を荒らすことによる被害が急増している。猪による被害を避けるために多くの場合、田畑に防護柵を巡らしているが、防護柵は簡易的なものでは役に立たないことが多く、猪の侵入を防ぐため堅固なものを設置しようとすると、費用が嵩む。
【０００３】
猪等の害獣を駆除するために檻も使用され、檻に関する提案もいくつかなされている。すなわち下記特許文献１及び２には、前後側の一方又は相方を開口した檻本体と、檻本体に昇降可能に支持され、開口を開閉する閉じ蓋と、閉じ蓋に連結されるロープ等よりなり、開口上に閉じ蓋を持ち上げた状態でワイヤー、ロープ等（以下、単に「ロープ等」という）をシーブに掛け、檻内部の下部に左右に張設して、その端部を檻本体に連結するか、或いはロープ等の端部に形成される環状部を棒状の掛止具に嵌合して連結し、害獣が開口より檻の中に入って張設されたロープ等を切断するか、或いはロープ等を押して係止具より係止部が外れると、閉じ蓋が自重により落下して開口を閉じるようにしたものが開示されている。
【０００４】
【特許文献１】特開２０００−３１６４５６号公報
【特許文献２】特開２０００−３３３５８６号公報
【０００５】
【発明が解決しようとする課題】
上述する従来の装置には、次のような問題がある。
（１）檻を設置するときには、閉じ蓋を開口上に持ち上げて支持する人と、閉じ蓋に連結されるロープ等を引張って張設し、その端部を檻に連結したり、ロープ端の環状の係止部を係止具に挿入したり、ピンを挿入する作業を行う人など複数の作業者が必要である、と思われること、
（２）閉じ蓋を持ち上げてセットしたのち、檻の中に餌を置くため、檻の中に出入りするとき、張設されたロープ等に引掛かって閉じ蓋が不用意に閉まるおそれがあること、
（３）檻の中に左右に張設されるロープ等は、その高さや檻の奥行き方向に位置調整することが容易にできないこと、
（４）檻に捕獲した害獣が閉じ蓋をこじ上げて逃げるおそれがあること、
等である。
【０００６】
本発明の第１の目的は、檻のセッティングが一人でも簡易に行えるような害獣捕獲用の檻を提供しようとするものであり、第２の目的は、檻のセッティングが完了するまでは、檻の中に張設されたロープ等に不用意に当たったり、不用意に当たってロープ等を切断するようなことがあったとしても閉じ蓋が落ちることがない檻を提供しようとするものである。更に第３の目的は、張設されたロープ等の高さや檻の奥行方向の位置調整が容易に行えるような檻を提供しようとするものであり、第４の目的は、捕獲した害獣が閉じ蓋をこじ上げて逃げることがないようにした檻を提供しようとするものである。
【０００７】
【課題の解決手段】
請求項１に係わる発明は、第１の目的を達成する害獣捕獲用の檻に関するもので、前後側のいずれか一方、好ましくは相方を開口した檻本体と、該檻本体に昇降可能に支持され、開口を開閉する閉じ蓋と、該閉じ蓋に連結され、該閉じ蓋を開口上に持ち上げて吊持する第１のロープ等に係脱し、該ロープ等を解放可能に支持する係止手段と、該係止手段に連結されて、檻本体の内部下部に張設される第２のロープ等よりなり、第２のロープ等に当たって張力が増加すると、係止手段に係止される第１のロープ等が係止手段より解放され、これにより閉じ蓋が自重により落下して檻本体の開口を閉じる害獣捕獲用の檻において、上記檻本体に抜き差し可能に挿入され、閉じ蓋を開口上に持ち上げた状態で支持するピンを有することを特徴とする。
【０００８】
本発明によると、閉じ蓋を開口上に持ち上げた状態でピンを檻本体に差し込むと、閉じ蓋がピンにより支持され、閉じ蓋を持ち上げて支持しておく必要がない。そのため一人の作業者で閉じ蓋を持ち上げ、ピンにより支持しておいてからロープ等の張設作業を行うことができる。
【０００９】
本発明の係止手段としては、第１のロープ等に係脱し、該ロープ等を解放可能に支持する機能を有するものであればどのようなものでもよい。敢えて例示するとすれば、上記特許文献２に開示され、図１に示されるような軸１にて檻本体に回動可能に軸支され、ロープ等２端のリング２ａが掛けられる棒状の係止具３と、檻本体に抜き差し可能で、差し込み時に係止具３の回動を阻止して固定する一方、抜き取ると、係止具３が自由に回動し、ロープ等２の引張力により図示する例では、反時計方向に回動してロープ等２を解放するピン４よりなるもの、以下の実施形態に示されるラッチレバーと、該ラッチレバーに係脱可能に掛けられ、ラッチレバーより外れると、ラッチレバーが解放される掛け金具よりなる係止金具等を挙げることができる。
【００１０】
請求項２に係わる発明は、第２の目的を達成する害獣捕獲用の檻に関するもので、前後側のいずれか一方、好ましくは相方を開口した檻本体と、該檻本体に昇降可能に支持され、開口を開閉する閉じ蓋と、該閉じ蓋に連結され、該閉じ蓋を開口上に持ち上げて吊持する第１のロープ等に係脱し、該ロープ等を解放可能に支持する係止手段と、該係止手段に連結されて、檻本体の内部下部に張設される第２のロープ等よりなり、第２のロープ等に当たって張力が増加すると、係止手段に係止される第１のロープ等が係止手段より解放され、これにより閉じ蓋が自重により落下して檻本体の開口を閉じる害獣捕獲用の檻において、手動操作により上記係止手段の第１のロープ等の係止を維持拘束し、或いはその拘束を解除するロック手段を設けたことを特徴とする。
【００１１】
本発明によると、ロック手段を手動操作して係止手段による第１のロープ等の係止を維持拘束した状態では、例え第２のロープ等に不用意に当たったとしても持ち上げられた閉じ蓋が落下するようなことはない。ロック手段による解除は、檻をセットする最終段階で行われ、解除後、第２のロープ等に当たって張力が増すと、第１のロープ等が係止手段より解放され、閉じ蓋が落下する。
【００１２】
本発明で用いるロック手段としては、係止手段が例えば図１に開示される係止具３とピン４である場合は、図２に示すように、檻本体５より突出するピン４に抜き差しされ、差込時には、ピン４を係止具３より抜き差し可能に拘束する一方、抜くと、ピン４を係止具より抜き取ることができるようにした第２のピン６、以下の実施形態に示される掛け金具のアイナットに係脱可能に係止し、掛け金具の動きを拘束するフックを備えたチューン等を例示することができる。
【００１３】
請求項３に係わる発明は、前後側のいずれか一方、好ましくは相方を開口した檻本体と、該檻本体に昇降可能に支持され、開口を開閉する閉じ蓋と、該閉じ蓋に連結され、該閉じ蓋を開口上に持ち上げて吊持する第１のロープ等に係脱し、該ロープ等を解放可能に支持する係止手段と、該係止手段に連結されて、檻本体の内部下部に張設される第２のロープ等よりなり、第２のロープ等に当たって張力が増加すると、係止手段に係止される第１のロープ等が係止手段より解放され、これにより閉じ蓋が自重により落下して檻本体の開口を閉じる害獣捕獲用の檻において、上記係止手段が檻を構成する縦向き又は横向きの鋼棒を内外から挟み込む取付部及び当て板と、該取付部及び当て板を連結する止め金具よりなる檻への取付手段を有することを特徴とする。
【００１４】
本発明によると、係止手段を止金具にて檻本体の任意の箇所における縦向き或いは横向きの鋼棒に取付けることができる。
本発明における止金具としては、例えばボルト、或いはボルトとナットよりなるものを例示することができる。
【００１５】
請求項４に係わる発明は、前後側のいずれか一方、好ましくは相方を開口した檻本体と、該檻本体に昇降可能に支持され、開口を開閉する閉じ蓋と、該閉じ蓋に連結され、該閉じ蓋を開口上に持ち上げて吊持する第１のロープ等に係脱し、該ロープ等を解放可能に支持する係止手段と、該係止手段に連結されて、檻本体の内部下部に張設される第２のロープ等よりなり、第２のロープ等に当たって張力が増加すると、係止手段に係止される第１のロープ等が係止手段より解放され、これにより閉じ蓋が自重により落下して檻本体の開口を閉じる害獣捕獲用の檻において、檻本体に閉じた閉じ蓋の持上げを阻止する位置と、閉じ蓋の持ち上げを可能にする位置とに切換可能に取付けられ、常には閉じ蓋の持ち上げを阻止する位置にあって、閉じ蓋が落下したとき、該閉じ蓋に当たって閉じ蓋の持ち上げを可能にする位置に後退し、閉じ蓋が閉じたとき、閉じ蓋の持ち上げを阻止する位置に復動するストッパーを有することを特徴とする。
【００１６】
本発明によると、閉じ蓋が閉じたときにはストッパーが閉じ蓋の持ち上げを阻止するため捕獲した害獣が逃げることはない。
本発明のストッパーとしては、例えば図３に示すように、檻本体５に進退可能に装着されて常にはバネ７により突出するように付勢され、閉じ蓋９が落下して当たると、バネ７の作用に抗して後退し、檻本体５がストッパー８を通り過ぎて落ちると、突出して一点鎖線で示す檻本体５の持ち上げを阻止する楔状のストッパー８、図４に示されるようにベルクランク状をなしてコーナ部で楔本体５に軸支され、一側部が檻本体５に当たることにより、それ以上の回動が阻止されて横向きに延びる他側部が閉じ蓋９の持ち上げを阻止する一方、一側部を一点鎖線で示す方向に持ち上げると、他側部が下向きになって閉じ蓋９を持ち上げ可能とするストッパー１０を例示することができる。
【００１７】
好ましい発明では、上述する請求項１〜４に係わる発明のうち、複数の発明、より好ましくは請求項１〜４の発明の全てを組合せたものより構成される。
【００１８】
【発明の実施の形態】
図５に示す檻は、箱形をなすフレーム１１に縦向きの鋼棒１２と横向きの鋼棒１２を組み合わせて格子状にし、前後側の開口には門形をなすガイドレール１３に昇降可能に支持される閉じ蓋９を備えた檻本体１５と、ガイドレール１３両側の閉じ蓋９の高さより、やや高い箇所に回転可能に軸支される、図４に示すストッパー１０と、檻本体５の一側面の任意の縦向きの鋼棒１２に取外し可能に取着される係止手段としての係止金具１６と、一端が閉じ蓋１４上端に固着の環状をなす取付金具１７に連結され、ガイドレール１３の上梁１３ａに取着のシーブ１８及びフレーム１１に取着のシーブ１８を介して係止金具１６に係脱可能に係止される第１のロープ等としてのワイヤー１９と、一端が檻本体１５のフレーム１１に、他端が係止金具１６にそれぞれ連結され、檻本体の内部下部に張設される第２のローブ等としてのワイヤー２０とよりなり、係止金具１６及びワイヤー１９、２０について以下、順に詳述する。
【００１９】
係止金具１６は、図６及び図７に示すように、一側部を開口した角筒状をなすベース２２と、開口を通してベース内に突出する一端でベース２２の上側部に回動可能に軸支されるＬ形状のラッチレバー２３と、ベース２２の中間部に回動可能に軸支され、実線位置において、ラッチレバー２３の下側部より挿入されてラッチレバー２３に係止し、ラッチレバー２３の図６における反時計方向の動きを規制するＵ形状の掛け金具２４と、掛け金具２４をラッチレバー２３の時計方向への動きを規制する位置に留め、或いは留めを解除するロック手段と、檻本体５への取付手段を有し、ロック手段は、一端を檻本体５に連結したチェーン２６と、該チェーン他端に取着され、掛け金具２４先端のアイナット２７に掛けられるフック２５よりなり、フック２５をアイナット２７に掛けると、掛け金具２４が図６の実線位置に留まってラッチレバー２３が反時計方向に回動して解放されるのを阻止するようになっている。
【００２０】
取付手段は、ベース２２に固着されるアングル状の取付部２９と、該取付部２９との間で檻本体１５を構成する鋼棒１２を挟み込む当て板３０と、鋼棒１２を挟み込んだ取付部２９と当て板３０を連結する止金具としてボルト３１及びナット３２とよりなり、ナット３２を弛めて当て板３０を外すことにより、檻本体１５より取り外され、檻本体５側面の任意の位置の鋼棒１２に取付けできるようになっている。
【００２１】
ワイヤー１９は、自由端に形成した輪をラッチレバー２３に挿入することによりラッチレバー２３に係止され、ラッチレバー２３が図６の一点鎖線で示すように、反時計方向に回動すると、輪がラッチレバー２３より外れて解放されるようになっている。
【００２２】
ワイヤー２０は、図６に示すように、シーブ３４を介して掛け金具２４のアイナット２７に連結され、ワイヤー２０を引張ると、掛け金具２４が図６の時計方向に回動してラッチレバー２３より外れ、掛け金具２４がラッチレバー２３より外れると、ラッチレバー２３がワイヤー１９の張力により反時計方向に跳ね上げられるようになっている。
【００２３】
図８は、閉じ蓋１４を持ち上げたのち、ガイドレール１３に抜き差し可能に差し込まれ、持ち上げた閉じ蓋１４を支持するピン３６を示す。このピン３６は、紛失防止のため檻本体１５にチェーンやワイヤー、ロープ等により連結しておくのが望ましい。
【００２４】
本実施形態の檻は以上のように構成され、所望箇所に運んでセットするときには、先ずストッパー１０の一側部を図４の一点鎖線で示すように持ち上げ、他側部を下ろした状態で閉じ蓋１４をガイドレール１３に沿わせて持ち上げ、ピン３６をガイドレール１３に差し込んで閉じ蓋１４を持ち上げた状態に支持する。前後の閉じ蓋９をこうして持ち上げた状態に支持してから、各閉じ蓋９に連結されるワイヤー１９端の輪を持ち上げたラッチレバー２３に挿入し、そのまゝ図６の実線位置に倒して掛け金具２４を持ち上げラッチレバー２３に下側部より差し込む。そしてチェーン２６端のフック２７をアイナット２７に掛け、掛け金具２４を図６の実線位置に留め支持する。これによりラッチレバー２３は、反時計方向の動きが拘束され、ワイヤー１９の解放が阻止される。アイナット２７にはまた、ワイヤー２０が連結されているが、ワイヤー２０に弛みがあることから、掛け金具２４を実線位置に持ち上げることが可能で、掛け金具２４を実線位置まで持ち上げることでワイヤー２０の弛みが若干若しくは殆ど解消される。
【００２５】
その後、閉じ蓋９を若干持ち上げてピン３６をガイドレール１３より外す。すると、同じ蓋９は、自重により降下しようとするが、ラッチレバー２３に連結され、ガイドレールの上梁１３ａのシーブ１８に掛けられるワイヤー１９で、ワイヤー１９の張力と閉じ蓋１４の自重から釣り合った状態で開口上に持上られて吊持される。こうして前後の閉じ檻９がそれぞれワイヤー１９により開口上に持ち上げられた状態で吊持される。この状態では、ラッチレバー２３がワイヤー１９に引張られて図６の反時計方向に回動しようとするが、掛け金具２４によってその動きが拘束され、掛け金具２４に圧着した状態で固定される。その後、檻の中に餌を置いたのち、チェーン２６端のフック２７をアイナット２７より外す。こうして檻のセッティングが行われる。
【００２６】
セッティング後、害獣が檻の中に入り、張設されたワイヤーに当り、該ワイヤ２０を押し込むと、掛け金具２４が図６の反時計方向に回動してラッチレバー２３より外れ、ラッチレバー２３はワイヤー１９に引張られて反時計方向に回動し、ワイヤー１９端の輪がラッチレバー１９より抜け出て解放され、前後の閉じ蓋９がそれぞれ落下して開口を閉じる。これにより害獣が捕獲される。なお、開口を閉じるときには側方に突出するストッパー１０の他側部が閉じ蓋９により押し込められて時計方向に回動し、閉じ蓋９が閉じてストッパー１０の他側部を通過すると、ストッパー１０が復動して他側部が横向きに突出するようになり、この状態でトッパー１０の一側部はガイドレール１３に当り、それ以上の反時計方向の動きが規制されるため、閉じ蓋９はストッパー１０の他側部によって持ち上げられるのが阻止される。
【００２７】
【発明の効果】
請求項１に係わる発明によると、ピンという簡単な治具を用い、それを檻本体に差し込むだけの簡単な作業で閉じ蓋を持ち上げた状態に支持しておくことができ、こうして閉じ蓋を支持してからロープ等の張設作業を行うことにより、一人でも檻のセッティング作業を行うことができる。
【００２８】
請求項２に係わる発明によると、ロック手段で係止手段によるロープ等の係止を拘束しておくと、その拘束を解除するまでには、不用意に第２のロープ等に当たるようなことがあっても閉じ蓋が落下し閉じることはない。
請求項３に係わる発明によると、係止金具を檻本体の任意の位置に取付け、檻本体内に張設されるワイヤーの高さや位置を調節することができる。
請求項４に係わる発明によると、閉じ蓋が閉じると、ストッパーで持ち上げが阻止されるため、害獣が閉じ蓋をこじ上げて逃げるのを防ぐことができる。
【図面の簡単な説明】
【図１】係止手段の一例を示す図。
【図２】ロック手段の一例を示す断面図。
【図３】ストッパーの一例を示す図。
【図４】檻本体のガイドレールに取付けたストッパーの別の例を示す図。
【図５】檻の全体構成を示す斜視図。
【図６】係止金具の正面図。
【図７】同拡大平面図。
【図８】ピンをガイドレールに差込んで閉じ蓋を支持した状態を示す断面図。
【符号の説明】
１・・軸
２・・ロープ等
３・・係止具
４、６、３６・・ピン
５・・檻本体
７・・バネ
８、１０・・ストッパー
９・・閉じ蓋
１１・・フレーム
１２・・鋼棒
１３・・ガイドレール
１６・・係止金具
１７・・取付金具
１８・・シーブ
１９、２０・・ワイヤー
２２・・ベース
２３・・ラッチレバー
２４・・掛け金具
２５・・フック
２６・・チェーン
２７・・アイナット
２９・・取付部
３０・・当て板
３１・・ボルト
３２・・ナット
【図１】
2004229559.tif 000003
【図２】
2004229559.tif 000004
【図３】
2004229559.tif 000005
【図４】
2004229559.tif 000006
【図５】
2004229559.tif 000007
【図６】
2004229559.tif 000008
【図７】
2004229559.tif 000009
【図８】
2004229559.tif 000010